【事件の表示】
　特願２００１−３５７４７５「画像読取機能を有する装置の入力装置」拒絶査定不服審判事件〔平成１５年　５月３０日出願公開、特開２００３−１５８６１０〕について、次のとおり審決する。
【結　論】
　本件審判の請求は、成り立たない。
【理　由】
１．手続きの経緯
　本願は、平成１３年１１月２２日の出願であって、平成１７年９月２６日付で拒絶査定がされ、これに対して同年１１月４日に拒絶査定不服審判が請求されるとともに、同年１２月５日付で手続補正がなされたものである。
　
２．平成１７年１２月５日付の手続補正についての補正却下の決定
［補正却下の決定の結論］
　平成１７年１２月５日付の手続補正を却下する。
　
［理由］
（１）補正後の本願発明
　本件補正により、特許請求の範囲の請求項１（請求項の数は全部で５である。）は、
「原稿に対して光を照射し、その反射光を複数の読取素子がライン状に並設された読取素子部にて受光して画像情報を読み取る画像読取手段を備えた画像読取機能を有する装置の入力装置であって、
　裏面に上記画像読取手段による読取対象となるマークを有し、当該マークの示す位置を変位させる可動式操作片が設けられた操作部と、
　上記マークの示す位置に対応付けられた設定条件の内容を格納する記憶手段とを備え、
　上記設定条件は、コピーモードかスキャナモードかを選択するモード、コピー枚数、上記原稿の読み取り時の解像度、およびフルカラー原稿か白黒ハーフトーン原稿か白黒原稿かの何れかを選択するイメージタイプのうちの少なくとも１つを設定するためのものであり、
　上記可動式操作片は一つの上記設定条件に対して１個のみが設けられ、
　上記画像読取手段が上記記憶手段から読み取った上記マークが示す位置に対応する上記設定条件の内容を読み出し、この読み出した設定条件を基に当該画像読取機能を有する装置における設定を行うことを特徴とする画像読取機能を有する装置の入力装置。」と補正された。
　上記補正は、補正前の特許請求の範囲の請求項１に記載された発明を特定するために必要な事項である、記憶手段に格納された「設定条件」、及び「可動式操作片」について具体的な限定を付加して補正後の請求項１とするものであって、特許法１７条の２第４項２号の特許請求の範囲の減縮を目的とするものに該当する。
　そこで、本件補正後の前記請求項１に記載された発明（以下、「本願補正発明」という。）が特許出願の際独立して特許を受けることができるものであるか（特許法１７条の２第５項において準用する同法１２６条５項の規定に適合するか）について検討する。
　
（２）引用例
　原査定の拒絶の理由に引用された特開平０９−２２４１２０号公報（以下、「引用例」という。）には、図面と共に、次の記載がある。 
　
　ア　「【特許請求の範囲】
【請求項１】原稿読み取り部および該原稿読み取り部で読み取った画像、あるいは該画像を処理した変倍画像を記録する記録部を備え、ブック原稿を読み取る機器において、
原稿の変倍コピーしたい範囲を設定するための移動可能なゲージからなる範囲指定手段と、
該範囲指定手段を読み取り部で読み取ることにより、該原稿の指定範囲を自動検出するゲージ指標検出手段と、
該ゲージ指標検出手段により読み取られたサイズと、オペポート上から入力された出力サイズとから、変倍率を算出する算出手段と、
該原稿の指定された範囲を読み取る際に、上記変倍率に応じた速度で読み取ることにより変倍画像処理を行って、変倍コピーを出力する手段とを具備したことを特徴とする画像読取装置。」
　
　イ　「【０００４】
【課題を解決するための手段】上記目的を達成するために、本発明の画像読取装置では、ユーザが変倍コピーしたい原稿の範囲をスケールの縦方向および横方向の部分に２つずつの移動できるようなゲージで設定した後に、第１回目のスキャンを行って読み取る。この場合の読み取り方法は、読取部が、横方向の原稿範囲を横方向のゲージの下に目印となる部分を読み取ることにより検出し、同じように縦方向の原稿範囲を縦方向のゲージの下の目印の部分を読み取ることにより検出する。次に、検出されたサイズと最初にユーザが入力したサイズをもとに、システム側が変倍率を自動的に算出して、第２回目のスキャンを行って読み取る。このとき、変倍したい原稿の部分で、算出された変倍率に応じたスキャン速度でモータを駆動して、変倍画像処理を行う。これにより、ユーザの意図した画像を簡単な操作で、無駄なコピーもせず、手間もかけず、少ない付加設備で、低コストにより得ることができる。
【０００５】
【発明の実施の形態】以下、本発明の実施例を、図面により詳細に説明する。図１は、本発明が適用されるブック読み取り方法の説明図である。複写機のスキャン方法には、ＢＯＯＫ読み取りとＳＨＥＥＴ読み取りの２種類があり、このうちＢＯＯＫ読み取りはガラス面の上に原稿を下向きにして置くことにより、下方の光源が上向きに走査して読み取る方法であり、ＳＨＥＥＴ読み取りはファクシミリ装置で行われているように、原稿を下向きまたは上向にして搬送することにより、固定された読取部で走査して読み取る方法である。本発明が適用できるのは、ＢＯＯＫ読み取り方法である。図１では、ＢＯＯＫ読み取り用の原稿読み取り部の原稿設置部分を示している。左側の基準位置側から右側へ向って走行体が移動しながら、原稿を読み取る。走査面（ガラス面）の端縁のスケールには、例えばＡ４判、Ｂ４判等のサイズを示すガイドが印刷されている。
【０００６】図２は、本発明の第１の実施例を示す画像読取装置のコピー指定範囲とその指定方法を示す図である。本実施例では、図２に示すように、左側のスケール４に縦方向（主走査方向）のコピー範囲を設定するためのＸ１およびＸ２のゲージを設けている。また、手前のスケール５には横方向（副走査方向）のコピー範囲を設定するためのＹ１およびＹ２のゲージを設けている。コピー指定範囲３は、縦方向のＸ１からＸ２までの範囲を１辺とし、横方向のＹ１からＹ２までの範囲を他の１辺とする四辺形の内部（斜線で示す）である。なお、１は走査範囲を示すガラス面であり、２は原稿である。図３は、本発明の一実施例を示すゲージ部の構成図である。図２に示す各ゲージＸ１，Ｘ２およびＹ１，Ｙ２は、図３に示すように、ベルト６，７に接合部１３により固定され、簡単に移動し易いような構造となっている。これらのゲージの下には、読み取り側でゲージ位置を検知できるように、白のマーク１２が裏側に設けられている。白マーク１２がゲージの裏側に設けられることで、下方から走査する際に白マークが検出されることになる。図３が縦スケール４の場合には、左側のゲージがＸ２、右側のゲージがＸ１であって、Ｘ２はベルト６に固定されて自由に移動できるとともに、Ｘ１はベルト７に固定されて自由に移動できるようになっている。また、横スケール５の場合には、左側のゲージがＹ１、右側のゲージがＹ２であって、Ｙ１はベルト６に、Ｙ２はベルト７にそれぞれ固定されて、自由に移動できるようになっている。本実施例では、ハードウェアとして従来の設備に、図３に示すようなベルトに固定されたゲージを設けるだけでよい。
【０００７】図６は、本発明の一実施例を示す画像読取方法の処理フローチャートであり、図４および図５は、本発明における指定範囲の検出方法の説明図である。図６のフローに従って画像読取方法を説明する。先ず、ユーザが原稿を走査面（ガラス面）上に設置する（ステップ１０１）。次に、原稿のコピーしたい範囲を上記のゲージにより図２に示すように指定する（ステップ１０２）。次に、オペポート上からコピー範囲設定モードに入り（ステップ１０３）、出力したいサイズ（紙サイズでもよい）を入力し（ステップ１０４）、スタートボタンを押して（ステップ１０５）、動作を開始させる。ここまでが、ユーザの設定操作であって、非常に簡単な操作内容となっている。システムは、１回目の読み取りを開始する（ステップ１０６）。この１回目の読み取りでは、ユーザが指定した原稿のコピー範囲を検知することを目的としている。走行体は移動しながら、先ず図４に示すＡの位置でＸ１ゲージの白マークを読み取る（ステップ１０７）。すなわち、図５（ａ）に示すように何画素目（ＸＡビット）であるかを検知するのである。ゲージの裏に白マークを設けているので、ＣＣＤのような受光部の１蓄積時間内のビデオ波形は、図５（ａ）の出力８が瞬間的に現れることにより、Ｘ１ゲージの位置が検出可能である。ソフトウェアにより、走査開始時点から出力８が現われるまでのビット数（ＸＡビット）を計数することにより、何画素目であるかを検知できる。このときの白出力部８の中央の画素ＸＡを、システムのメモリに記憶する。なお、図５（ａ）における出力部分のうち白マーク出力８以外のローレベル出力の範囲が、図４に示す読み取り領域の範囲を示している。次に、Ｂの位置で、Ｘ２ゲージを前と同じようにして図５（ｂ）のように読み取り、画素ＸＢをシステムのメモリに記憶する（ステップ１０８）。この場合にも、Ａでの出力と同じように図５（ｂ）の白マーク出力９が瞬間的に現われるので、ソフトウェアにより、出力９が現われるまでのＸＢビットを計数し、何画素目かを検出する。Ａの位置とＢの位置の差は、ベルト７とベルト６の位置の差であって、Ｘ１ゲージの白マーク１２はベルト７の取付け位置に、Ｘ２ゲージの白マーク１２はベルト６の取付け位置に、それぞれ設けられているので、白マーク出力８，９はそれぞれが別個に検出されることになる。」
　
　ウ　「【０００９】次に、以上の処理から、１回目の読み取り時によって検知されたコピー範囲サイズを算出する（ステップ１１２）。縦サイズは、ＸＢ−ＸＡ画素分から算出し、横サイズはＹＢ−ＹＡライン分から算出する。例えば、主走査の解像度が１６本／ｍｍ、副走査の解像度が１５．４本／ｍｍで１回目が読まれた場合、ＸＡ＝１５００ビット、ＸＢ＝２６００ビット、ＹＡ＝１５００ライン、ＹＢ＝２７００ラインとする。この場合には、縦サイズは、（2600-1500)／16＝68.75ｍｍであり、横サイズは、（2700-1500)／15.4＝77.9ｍｍと判断される。ユーザが入力した出力サイズが縦＝１００ｍｍ、横＝１００ｍｍの場合、各々の変倍率は縦方向が100／68.75＝1.45倍、横方向が100／77.9＝1.28倍であるが、相似変倍(相似形で変倍)の場合には、変倍率が小い方が有効となるので、最終的な変倍率は、１２８％拡大となる。一方、縦横変倍（変倍率が縦と横とで別々）の場合には、各々の変倍率で行われる。このようにして、システム側で自動的に変倍率を計算したので（ステップ１１３）、２回目の読み取りを開始する（ステップ１１４）。
【００１０】読み取りが開始されると、ＹＡラインまで走行体を移動した後、先に算出した１２８％の拡大モードで走行体を移動開始して、同時に主走査方向のＸＡ〜ＸＢ画素範囲を１２８％に対応する変倍画像処理を行い、ＹＢラインまで画像をメモリに取り込む（ステップ１１５）。なお、上記変倍画像処理の方法は、公知の技術で行われるので、ここでは詳述を省略する。ＹＡからＹＢまでの画像の取り込みが終わると同時に、２回目の読み取りを終了する（ステップ１１６）。走行体は待機位置に戻ることになる。そして、システムはメモリに蓄積された画像データを出力する（ステップ１１７）。以上で、本実施例の処理が終了する。このように、第１の実施例では、スケールにゲージを設けているので、原稿の変倍したい部分をユーザが簡単に設定することができる。また、初心者でも簡単な操作でユーザが欲しい出力画像の大きさに設定できるので、無駄なコピーをせず、手間もかけずに変倍コピーすることができる。コスト的にも、従来の構成にスケール部分にゲージを設けるだけで達成することが可能であるため、低コストで実現することができる。」
　
　したがって、上記アないしウの記載及び図面から、引用例には、
「光源と受光部を有する原稿読み取り部、及び該原稿読み取り部で読み取った画像、あるいは該画像を処理した変倍画像を記録する記録部を備え、ブック原稿を読み取る機器において、原稿の変倍コピーしたい範囲を設定するための移動可能で、裏面に白マークを有したゲージからなる範囲指定手段と、該範囲指定手段を読み取り部で読み取ることにより、該原稿の指定範囲を自動検出するゲージ指標検出手段と、該ゲージ指標検出手段により読み取られた範囲と、オペポート上から入力された出力サイズとから、変倍率を算出する算出手段と、該原稿の指定された範囲を読み取る際に、上記変倍率に応じた速度で読み取ることにより変倍画像処理を行って、変倍コピーを出力する手段とを具備した画像読取装置。」発明（以下、「引用発明」という。）が開示されていると認めることができる。
　
（３）対比
　引用例の前掲イ（【０００７】欄）から、引用発明の受光部は、ＣＣＤによって構成されるものであって、一般に複写機やファクシミリ装置等の画像読取装置で用いられるＣＣＤは、複数の読取素子がライン状に並設されたものであるから、引用発明の受光部も、複数の読取素子がライン状に並設されたものであるといえる。そうすると、引用発明の「受光部」は、本願補正発明の「複数の読取素子がライン状に並設された読取素子部」に相当する。
　引用発明の「原稿読取部」は、引用例の前掲イ（【０００５】欄、【０００７】欄）の記載によると、光源と受光部とを有しており、原稿に対して光を照射し受光部にて受光して原稿を読み取るものであることは明らかであるから、本願補正発明の「原稿に対して光を照射し、その反射光を複数の読取素子がライン状に並設された読取素子部にて受光して画像情報を読み取る画像読取手段」に相当する。
　引用発明の「画像読取装置」は、本願補正発明の「画像読取手段を備えた画像読取機能を有する装置」に相当する。
　引用発明の「変倍率」は、原稿の読み取り処理のために用いられる設定条件であるから、本願補正発明の「設定条件」に相当する。
　画像読取手段を備えた「画像読取装置」である引用発明における、「範囲指定手段」と「ゲージ指標検出手段」と「変倍率算出手段」とは、変倍率を入力するための構成、つまり、画像読取装置における設定を入力するための構成であるから、「画像読取手段を備えた画像読取機能を有する装置の入力装置」であるといえる。
　引用発明の「原稿の変倍コピーしたい範囲を設定するための移動可能で、裏面に白マークを有したゲージからなる範囲指定手段」における「白マーク」は、画像読取手段によって読み取られることで、ゲージの位置を検出するものである。そうすると、引用発明の「白マーク」は、本願補正発明の「マーク」に相当する。
　そして、引用発明の移動可能な「ゲージ」、及び「範囲指定手段」は、それぞれ本願補正発明の「裏面に画像読取手段による読取対象となるマークを有し、当該マークの位置を変位させる可動式操作片」、及び「操作部」に相当する。
　引用発明における画像読取手段は、ゲージの裏側の白マークの位置から計算によって求められた変倍率を算出し、該変倍率に基に、画像読取装置を設定するものであるから、該画像読取手段は、「マークが示す位置を基に画像読取機能を有する装置の設定を行う」ものであるといえる。
　
　したがって、本願補正発明と引用発明とは、「原稿に対して光を照射し、その反射光を複数の読取素子がライン状に並設された読取素子部にて受光して画像情報を読み取る画像読取手段を備えた画像読取機能を有する装置の入力装置であって、裏面に上記画像読取手段による読取対象となるマークを有し、当該マークの示す位置を変位させる可動式操作片が設けられた操作部を備え、上記画像読取手段が上記マークが示す位置を基に当該画像読取機能を有する装置における設定を行うことを特徴とする画像読取機能を有する装置の入力装置」の点で一致し、次の点で相違している。
　
［相違点１］
　本願補正発明において「設定条件」は、「コピーモードかスキャナモードかを選択するモード、コピー枚数、上記原稿の読み取り時の解像度、およびフルカラー原稿か白黒ハーフトーン原稿か白黒原稿かの何れかを選択するイメージタイプ」のいずれかであり、かつ「可動式操作片は一つの設定条件に対して１個のみが設けられ」ているのに対して、引用発明の設定条件は「変倍率」であって、可動操作片は一つの設定条件に対して、複数設けられている点。
　
［相違点２］
　本願補正発明では、「マークの示す位置に対応付けられた設定条件の内容を格納する記憶手段」を備え、「前記記憶手段から読み取ったマークが示す位置に対応する設定条件の内容を読み出し、この読み出した設定条件を基に設定を行う」のに対して、引用発明では、前記「記憶手段」を備えておらず、マークが示す位置から計算によって求められた設定条件を基に設定を行うものである点。
　
（４）判断
［相違点１］について
　設定条件として「コピーモードかスキャナモードかを選択するモード、コピー枚数、上記原稿の読み取り時の解像度、およびフルカラー原稿か白黒ハーフトーン原稿か白黒原稿かの何れかを選択するイメージタイプ」の何れかを用いることは、画像読取装置における周知技術である。
　そして、１つの設定条件に対応する可動式操作片をいくつ設けるかは、設定条件において操作者が入力すべき値の個数や、操作性等に応じて決定すべき事項であって、前記周知技術であるコピー枚数や解像度等、操作者が入力すべき値の個数が１つの設定条件に対応して、該値の入力のために、操作者が入力に用いるスイッチやスライダ等の可動式操作片を１つのみ設けることは、当業者が実施の際に適宜行うべき事項にすぎない。
　例えば前記周知技術として、特開平０８−００９１０６号公報に「【００１３】操作パネル３は、２つの細い長溝を設け、その長溝にはツマミ４２，５２を各々に設けた２つのスライド式操作スイッチ４，５（操作部を構成している）を設けており、画質と濃度が調整出来るようになっている。すなわち、スライド式操作スイッチ４は、そのツマミ４２を移動調整することによってノーマル、ファイン、ハーフトーンという画質が調整でき、他方のスライド式操作スイッチ５は、そのツマミ５２を調整することによって濃く、ふつう、淡くという濃度の調整ができるようになっている。」と記載され、及び、特開昭６３−３１０２５９号公報に「操作部３には例えば第２図に示すように濃度調整部１１、読取サイズ切換部１２およびコントラスト調整部１３等の操作機能部が設けられており、また操作部３は操作パネル１４および上記各部１１、１２、１３に設けられたツマミ１５を備えている。操作パネル１４は本体１ａ上面の第１図中矢印Ｙ方向に所定の幅を有し、矢印Ｘ方向に約スキャナナー装置１の略全幅に亘って設けられており、操作パネル１４には前記各部１１、１２、１３に対応したスリット１１ａ、１２ａ、１３ａが形成されている。スリット１１ａ、１２ａ、１３ａは第１図中矢印Ｘ方向に長く形成されており、各スリット１１ａ、１２ａ、１３ａはそれぞれが同一中心線上に配設されている。スリット１１ａ、１２ａ、１３ａにはツマミ１５が設けられており、ツマミ１５はスリット１１ａ、１２ａ、１３ａに対してスライド自在に装着される。なお、ここで、読取サイズ切換部１２のツマミ１５については図示しないクリック機構が設けられており、ツマミ１５を各サイズ位置に確実に設定できる。したがって、濃度調整部１１およびコントラスト調整部１３のツマミ１５はスライドボリュームと同様に第１図中Ｘ方向に無段階的にスライドさせて使用することができ、また、読取サイズ切換部１２のツマミ１５は多接点のスライドスイッチと同様な感覚で使用することができる。」（２頁右下欄６行〜３頁左上欄９行）と記載されている。
　したがって、引用発明において、「コピーモードかスキャナモードかを選択するモード、コピー枚数、上記原稿の読み取り時の解像度、およびフルカラー原稿か白黒ハーフトーン原稿か白黒原稿かの何れかを選択するイメージタイプ」の何れかを変倍率に加えて、あるいは、変倍率に代えて設定条件とし、その際に該設定条件の入力のために、可動式操作片を一つの設定条件に対して１個を設けることは、当業者が容易に想到できたことである。
　
［相違点２］について
　画像処理において、入力値から計算によって出力値を算出する代わりに、入力値に対応付けられた出力値を格納する記憶手段を設け、該記憶手段から入力値に対応する出力値を読み出すことは、処理効率を向上させるために、広く普通に行われている慣用技術である。
　そうすると、引用発明において、入力値であるマークの示す位置から計算によって、出力値である設定条件を求める代わりに、マークの示す位置に対応付けられた設定条件の内容を格納する記憶手段を設け、該記憶手段から読み取ったマークの示す位置に対応する設定条件の内容を読み出し、設定を行うことは、当業者が実施の際に適宜行うべき事項にすぎない。
　
　そして、これらの相違点を総合的に考慮しても、本願補正発明は当業者が想到し難い格別のものであるとすることはできず、また、本願補正発明の作用効果も、引用発明から、当業者が予測できる範囲のものである。 
　したがって、本願補正発明は、引用発明に基づいて、当業者が容易に発明をすることができたものであるから、特許法２９条２項の規定により特許出願の際独立して特許を受けることができないものである。 
　
（５）むすび
　以上のとおり、本件補正は、特許法１７条の２第５項で準用する同法１２６条５項の規定に違反するものであり、同法１５９条１項で準用する同法５３条１項の規定により却下されるべきである。 
　
３．本願発明について
　平成１７年１２月５日付の手続補正は上記のとおり却下され、平成１７年９月１日付の手続補正も平成１７年９月２６日付で却下されているので、本願の請求項１に係る発明（以下、「本願発明」という。）は、平成１７年６月２日付手続補正書の特許請求の範囲の請求項１に記載された事項により特定される、以下のとおりのものである。
「原稿に対して光を照射し、その反射光を複数の読取素子がライン状に並設された読取素子部にて受光して画像情報を読み取る画像読取手段を備えた画像読取機能を有する装置の入力装置であって、
　裏面に上記画像読取手段による読取対象となるマークを有し、当該マークの示す位置を変位させる可動式操作片が設けられた操作部と、
　上記マークの示す位置に対応付けられた設定条件の内容を格納する記憶手段とを備え、
　上記画像読取手段が上記記憶手段から読み取った上記マークが示す位置に対応する上記設定条件の内容を読み出し、この読み出した設定条件を基に当該画像読取機能を有する装置における設定を行うことを特徴とする画像読取機能を有する装置の入力装置。」
　
（１）引用例
　原査定の拒絶の理由に引用された引用例、及びその記載事項は、前記「２．（２）」に記載したとおりである。
　
（２）対比・判断
　本願発明は、前記「２．」で検討した本願補正発明から、記憶手段に格納された「設定条件」、及び「可動式操作片」について具体的な限定を省いたものである。
　そうすると、本願発明の構成要件をすべて含み、さらに他の構成要件を付加したものに相当する本願補正発明が、前記「２．（４）」に記載したとおり、引用例に記載された発明に基づいて当業者が容易に発明をすることができたものであるから、本願発明も同様の理由により、引用例に記載された発明に基づいて、当業者が容易に発明をすることができたものである。
　
（３）むすび
　以上のとおり、本願発明は、引用例に記載された発明に基づいて、当業者が容易に発明をすることができたものであるから、特許法２９条２項の規定により特許を受けることができない。
　したがって、本願は、他の請求項について検討するまでもなく、拒絶されるべきものである。
　よって、結論のとおり審決する。